(57)【要約】【課題】  人為的なミスと重なって誤制御が発生する可能性を低減させると共にＵリンクの紛失を防止して安全に保守・試験を実施できること。【解決手段】  遠方制御と直接制御との切替指定を行う遠直切替手段と、遠方監視制御装置の試験等のために取り外されたＵリンクプラグを挿着する手段を有し、当該Ｕリンクプラグの挿着の有無によって前記遠方監視制御装置が作業中であるか否かを出力する作業状態出力手段と、この作業状態出力手段および前記遠直切替手段の出力に基づいて遠方、直接のいずれかの制御指令を選択して外部機器へ出力する選択手段とを備えた。【選択図】      図１
2007082326.tif 000002
【特許請求の範囲】
【請求項１】
遠方制御と直接制御との切替指定を行う遠直切替手段と、
遠方監視制御装置の試験等のために取り外されたＵリンクプラグを挿着する手段を有し、当該Ｕリンクプラグの挿着の有無によって前記遠方監視制御装置が作業中であるか否かを出力する作業状態出力手段と、
この作業状態出力手段および前記遠直切替手段の出力に基づいて遠方、直接のいずれかの制御指令を選択して外部機器へ出力する選択手段と、
を備えたことを特徴とするインターロック装置。
【請求項２】
前記作業状態出力手段は、前記Ｕリンクプラグが挿着されているときに「作業中」を表す信号を出力し、
前記選択手段は、当該信号に基づいて前記作業状態出力手段の出力状態が「作業中」ではなく、かつ、前記遠直切替手段が遠方側に指定されているときにのみ前記遠方監視制御装置からの制御指令を選択して出力することを特徴とする請求項１記載のインターロック装置。
【請求項３】
前記作業状態出力手段は、前記遠方監視制御装置の盤内に設けられていることを特徴とする請求項１または２に記載のインターロック装置。
【請求項４】
前記作業状態出力手段の出力状態が「作業中」であり、かつ、前記遠直切替手段が遠方側に指定されているときは前記選択手段が前記遠方監視制御装置からの制御指令を出力するのを禁止すると共にアラームを出力する手段を備えたことを特徴とする請求項１ないし３のいずれか一に記載のインターロック装置。
【請求項５】
前記作業状態出力手段の出力状態が「作業中」へ変化したときに起動し、作業終了によって停止するタイマを設け、当該タイマの値が所定値以上になったときにアラームを出力する手段を設けたことを特徴とする請求項１ないし４のいずれか一に記載のインターロック装置。
【請求項６】
前記Ｕリンクプラグは蓄光剤が塗布されていることを特徴とする請求項１ないし５のいずれか一に記載のインターロック装置。
【請求項７】
前記Ｕリンクプラグの側面と前記作業状態出力手段の近傍に添着手段が設けられていることを特徴とする請求項１ないし６のいずれか一に記載のインターロック装置。
【請求項８】
遠方制御と直接制御との切替指定を行う遠直切替手段と、
遠方監視制御装置から出力される当該装置の作業状態を入力する手段と、
当該作業状態および前記遠直切替手段の出力に基づいて遠方、直接のいずれかの制御指令を選択して出力する選択手段と、
を備えたことを特徴とする制御盤。
【発明の詳細な説明】
【技術分野】
【０００１】
本発明は、発電所や変電所などにおいて、通信機能を有する遠方監視制御装置を保守、点検等する際のインターロック装置および制御盤に関する。
【背景技術】
【０００２】
従来、遠方監視制御装置（以下、テレコンという）を保守、点検する場合、制御盤において、遠方／直接切り替えレバーを直接側に切り替え、制御盤側で直接遮断器の入切等の制御を行うようにして、テレコンからの制御指令が出力されないようにして作業が行われている。
【０００３】
制御盤は一般に図６に示すような手段を備えている。この図において、制御盤１０は、遠方制御か直接制御かを切り替える遠直切替手段１２、盤面上に配置された操作ボタン等を作業員が操作することによって外部機器５へ制御指令を出力する制御手段１１、制御手段１１からの制御指令（直接制御）とテレコン３側の制御出力手段３１からの制御指令（遠方制御）を入力して、遠直切替手段１２からの切替指令によって指定された制御指令を外部機器５に対して出力する選択手段１３を備えている。
【０００４】
通常の運用状態では、遠直切替手段１２を遠方側に設定して、テレコン３を通して上位システムからの制御指令によって外部機器５を操作している。一方、テレコン３の保守・点検時は、遠直切替手段１２を直接側に設定して、必要な操作は制御盤１０からの操作によって行っている。
上記の制御盤は信頼性が必要とされるため、誤制御防止のためのインターロックに関する技術も提案されている。（例えば、特許文献１を参照）。
【０００５】
ところで、現場における電力機器の保守・点検あるいは試験等の作業は、通常マニュアルに従って複数人のチェックによってミスのないように行われているが、人間系による作業のため、そのミスによって思わぬ事態が発生することも考慮しておかねばならない。特にテレコンは、作業内容によっては伝送路と切り離す必要があるが、このときＵリンクを外すことによって伝送路側と装置側との切り離しが行われる。Ｕリンクを外したときは、通常、モデム４２あるいは伝送手段４１が回線断を検出して、テレコン３からの制御出力をロックするように、すなわち制御信号が出ないように構成されているが、外来ノイズの大きな環境やアース環境の悪いところでは必ずしも回線断にならない場合や回線断が発生復帰を繰り返すような場合もある。その上、Ｕリンクは比較的小さいため紛失し易く、また、ケーブルピットや盤内に入り込んで電源のショートを引起すなど思わぬ事故を発生させる可能性もある。
【特許文献１】特開２００２−１７１６１６号公報
【発明の開示】
【発明が解決しようとする課題】
【０００６】
本発明は、上述のかかる事情に鑑みてなされたものであり、テレコンのＵリンクを外して作業する場合において、直接運転への切替え忘れなど人為的なミスと重なって誤制御が発生する可能性を低減させると共にＵリンクの紛失を防止して安全に保守・試験を実施することのできるインターロック装置および制御盤を提供することを目的とする。
【課題を解決するための手段】
【０００７】
上記の目的を達成するため、本発明に係わるインターロック装置は、遠方制御と直接制御との切替指定を行う遠直切替手段と、遠方監視制御装置の試験等のために取り外されたＵリンクプラグを挿着する手段を有し、当該Ｕリンクプラグの挿着の有無によって前記遠方監視制御装置が作業中であるか否かを出力する作業状態出力手段と、この作業状態出力手段および前記遠直切替手段の出力に基づいて遠方、直接のいずれかの制御指令を選択して外部機器へ出力する選択手段と、を備えたことを特徴とする。
【０００８】
本発明では、試験等によって外したＵリンクプラグを挿着する手段を設けて、Ｕリンクプラグの紛失を防止すると共に、その挿着状態と遠直切替手段の切替状態によって遠方、直接の制御指令の選択を行うようにする。
【０００９】
また、本発明に係わるインターロック装置は、前記作業状態出力手段は、前記Ｕリンクプラグが挿着されているときに「作業中」を表す信号を出力し、前記選択手段は、当該信号に基づいて前記作業状態出力手段の出力状態が「作業中」ではなく、かつ、前記遠直切替手段が遠方側に指定されているときにのみ前記遠方監視制御装置からの制御指令を選択して出力することを特徴とする。
【００１０】
本発明では、Ｕリンクプラグが挿着されているときは、遠方からの制御指令が出力されないようにして作業中における誤制御を防止する。
【００１１】
好ましくは、前記作業状態出力手段は、前記遠方監視制御装置の盤内に設けるようにするとよい。遠方監視制御装置のＵリンクプラグを外して直ちに挿着することによって、Ｕリンクプラグの紛失防止効果が向上する。特に遠方監視制御装置の可動扉内側に作業状態出力手段を設けることによって、通常の運用状態では邪魔にならず、作業時には直ちに挿着できるので作業効率が向上する。
【００１２】
ここで、作業とは、保守・点検作業や試験作業など何らかの目的で作業員が行う作業全般を意味する。
【００１３】
また、本発明に係わるインターロック装置は、前記作業状態出力手段の出力状態が「作業中」であり、かつ、前記遠直切替手段が遠方側に指定されているときは前記選択手段が前記遠方監視制御装置からの制御指令を出力するのを禁止すると共にアラームを出力する手段を備えたことを特徴とする。本発明では、作業中に遠方側に切替えられたことを検知してアラームを出力する。
【００１４】
本発明に係わるインターロック装置は、さらに、前記作業状態出力手段の出力状態が「作業中」へ変化したときに起動し、作業終了によって停止するタイマを設け、当該タイマの値が所定値以上になったときにアラームを出力する手段を設けたことを特徴とする。
【００１５】
本発明では、作業時間を監視して所定値を超えた場合はアラーム出力することによって、Ｕリンクプラグの戻し忘れや作業事故の監視を行う。
【００１６】
好ましくは、前記Ｕリンクプラグに蓄光剤を塗布するようにすると良い。これにより、盤内あるいは床下のピット内に紛れ込んだときにも容易に判別することができる。
【００１７】
より好ましくは、蓄光剤に加えて、前記Ｕリンクプラグの側面と前記作業状態出力手段の近傍に添着手段を設けるようにすると良い。添着手段としては、たとえば、マジックテープ（登録商標）などがある。
【００１８】
また、本発明に係わる制御盤は、遠方制御と直接制御との切替指定を行う遠直切替手段と、遠方監視制御装置から出力される当該装置の作業状態を入力する手段と、当該作業状態および前記遠直切替手段の出力に基づいて遠方、直接のいずれかの制御指令を選択して出力する選択手段と、を備えたことを特徴とする。
【００１９】
本発明では、制御盤に作業状態を入力する手段を設け、その条件を用いて遠方、直接の制御指令の選択を行う。ここで、制御盤とは、受配電盤や変電盤なども含む趣旨である。
【発明の効果】
【００２０】
本発明によれば、遠方監視制御装置のＵリンクを外して伝送試験等の作業をする際に誤制御の可能性を低減させることができ、さらに、Ｕリンクの紛失を防止して安全な保守・試験の実施が可能となる。
【発明を実施するための最良の形態】
【００２１】
以下、本発明の実施の形態を説明する。図１は、第１の実施の形態によるインターロック装置のブロック図である。
【００２２】
ここで、インターロック装置１は、直接制御を行うための操作ボタン等で構成された制御手段１１、遠方制御か直接制御かを切り替える遠直切替手段１２、テレコン側の作業状態出力手段３２から出力される作業状態（Ｕリンク実装なし）を示す信号を入力して直接切替手段１２の遠方状態を示す信号とのＡＮＤ（論理積）条件の信号を出力するＡＮＤ回路１４、同様にこの作業状態を示す信号をＮＯＴ回路１５を通して反転させ、この反転させた信号と遠直切替手段１２の遠方状態を示す信号とのＡＮＤ条件の信号を出力するＡＮＤ回路１６、および、このＡＮＤ回路１６の出力によってアラームを出力する警報手段１７を備えている。以下、各回路の入出力信号に関して、Ｈｉｇｈレベルを論理「１」、Ｌｏｗレベルを論理「０」として説明する。
【００２３】
遠直切替手段１２は、「直接」が選択されたときは、直接側の出力信号が「１」（有効）となり、「遠方」が選択されたときは、遠方側の出力信号が「１」（有効）となり、両信号は排他的にいずれか一方が出力されるように構成されている。
【００２４】
ここで、作業状態出力手段３２の構成について図２を用いて説明する。作業状態出力手段３２はＵリンクのソケット部３３を図２（ａ）に示すように一方を電源のプラス極（Ｐ）に接続し、抵抗３５を通して、ソケット部３３の導体で構成される足部３６に接続する。また、Ｕリンクプラグ３４を挿入することによって、導通状態となる他の足部３７は電源のマイナス極（０Ｖ）に接続する。足部３６、３７はプリント基板等に半田付けをして固定する。Ｕリンクプラグ３４を挿着すると図２（ｂ）に示すようにＵリンクソケット３３と勘合して、足部３６と足部３７は導通状態となる。
【００２５】
なお、Ｕリンクは、一対の線間のレベルを測定するため、図２に記載の足部がもう一対存在するが、少なくともいずれか一方を使用すれば足りる。
【００２６】
次に上記の構成を有するインターロック装置１の動作を説明する。
まず、遠直切替手段１２は、「直接」側に設定されているときは、選択手段１３の直接側の入力信号は「１」（有効）となり、制御盤内にある制御手段１１の出力信号が選択手段１３の出力として外部機器５へ送出される。
【００２７】
一方、遠直切替手段１２が「遠方」側に設定されているときは、テレコン３側でＵリンクプラグ３４がＵリンクソケット３３に挿着されているかどうかで選択回路１３の動作が異なる。
【００２８】
以下、このときの作用を詳述する。
（１）Ｕリンク非実装時
テレコン３の保守作業を行っていないときは、テレコン３側においてＵリンクプラグ３４はＵリンクソケット３３挿着されていないため、出力電圧はＰ（論理「１」）となる。この出力電圧は、インターロック装置１のＡＮＤ回路１４の入力となる。この状態で、遠直切替手段１２が「遠方」設定のとき、ＡＮＤ回路１４の他方の入力も「１」となり、この結果、選択手段１３の遠方側入力信号は「１」（有効）となる。一方、選択手段１３の直接側入力信号は「０」（無効）となる。これによって、選択手段１３は、テレコン３の制御出力手段３１から出力される制御信号を選択して外部機器５へ出力する。
【００２９】
このとき、ＮＯＴ回路１５の出力は「０」（無効）になる。ＡＮＤ回路１６の出力も「０」（無効）となり、警報手段１７からアラームは出力されない。
【００３０】
（２）Ｕリンク実装時
作業員はテレコン３の作業でＵリンクプラグを外したときは、作業中にそのＵリンクが紛失しないように作業のあいだ取り付けておくためのＵリンクソケット３３に挿入する。
【００３１】
これによって、作業状態出力手段３２の出力は、０Ｖ（論理「０」）となる。このため、ＡＮＤ回路１４は遠直切替手段１２の遠方出力が「１」（有効）であるにもかかわらず、その出力は「０」になる。したがって、選択手段１３の遠方側入力信号は「０」（無効）となり、直接側入力信号も「０」であるため、選択手段１３は、遠方、直接いずれの制御信号も出力しない。
【００３２】
一方、ＮＯＴ回路１５の出力は「１」（有効）となり、ＡＮＤ回路１６の他の入力信号も「１」（有効）であるから、ＡＮＤ回路１６の出力は「１」（有効）となる。これによって、警報手段１７はアラームを出力する。
本実施の形態によるインターロック装置１および制御盤１０は上記の如く機能する。
【００３３】
（Ｕリンクプラグの実施例）
なお、Ｕリンクプラグは小さく、作業時に取り外したときに盤内やダクトを収納した床下のピット内混入すると探すのが大変となる。このため、図３に示すようにＵリンクプラグの前面（挿着時に正面から見える位置）に蓄光剤３８を塗布する。
【００３４】
また、回線チャンネルごとに通常は複数のＵリンクがあるので、そのＵリンクプラグ３４を作業時保管用のＵリンクソケット３３に挿入するのは作業効率が低下する。このため、Ｕリンクプラグ３４の側面に添着手段３９を貼付すると共に図４に示すようにテレコン盤内にも添着手段３９を貼付して、複数のＵリンクプラグ３４のうち一つは作業状態出力手段３２のＵリンクソケット３３に挿入し、他のＵリンクプラグ３４については添着手段３９に付着させることによって、簡便に固定することができ紛失を防止することができる。
【００３５】
以上、本実施の形態によれば、テレコン作業時に外したＵリンクプラグを作業状態出力手段のＵリンクソケットに挿着することによって作業中で有るか否かを管理でき、作業中である場合はテレコンからの制御出力が制御盤から出力されないようにインターロックをかけるためテレコン作業中の誤制御を防止することができる。
【００３６】
また、ＵリンクプラグをＵリンクソケットに挿着するので、Ｕリンクプラグの紛失を防ぐことができる。
【００３７】
さらに、Ｕリンクに蓄光剤を塗布しておき、作業時に添着手段に付着させることによって作業効率が向上し、Ｕリンクの紛失防止を図ることができる。
【００３８】
次に本発明の第２の実施の形態を説明する。図５は、第２の実施の形態によるインターロック装置のブロック図である。
本実施の形態は、第１の実施の形態に対して、ＮＯＴ回路１５の出力が０から１になったときにセットされ、ＮＯＴ回路の入力が０から１になったときにリセットされるフリップフロップ回路（以下、Ｆ／Ｆ回路という。）１８とＦ／Ｆ回路１８がセットされている間、時間計測を行うタイマ１９からなる監視手段２０を追加した。
【００３９】
上記の構成において、Ｕリンクプラグ３４がＵリンクソケット３３に挿入されると、作業状態出力手段３２の出力は「０」になる。そして、ＮＯＴ回路１５を通った出力は「１」になる。このため、Ｆ／Ｆ回路１８はセットされ、タイマ１９はカウントアップを始める。そして、タイマ値がテレコンの標準作業時間に基づいて予め定めた所定の値になると警報手段１７に対してアラームのための信号を出力する。これによって、Ｕリンクプラグを挿着したままの状態が所定時間を超えるとアラーム出力される。
【００４０】
一方、所定時間に達する前にＵリンクプラグ３４をＵリンクソケット３３から抜いた場合は、作業状態出力手段３２の出力が「１」になり、Ｆ／Ｆ回路１８はリセットされ、タイマ１９のカウント値も初期化される。
【００４１】
以上、本実施の形態によれば、Ｕリンクプラグ挿着時間を監視するため、同プラグの戻し忘れの検出や作業時の事故を早期に発見することができる。なお、作業状態出力手段の出力状態が作業中のときに、制御盤にランプ表示をするようにすれば、直接運転から遠方運転へ切り替える際に作業員の注意を喚起することができる。
【産業上の利用可能性】
【００４２】
本発明は、遠方、直接の切替機能を有する制御盤に適用することができる。
【図面の簡単な説明】
【００４３】
【図１】本発明の第１の実施の形態によるインターロック装置のブロック図である。
【図２】図１の作業状態出力手段の作用の説明図であり、図２（ａ）はＵリンクプラグ非実装時、図２（ｂ）はＵリンクプラグ実装時を示す。
【図３】本発明の第１の実施の形態によるＵリンクプラグへの蓄光剤と添着手段の貼付のしかたの説明図である。
【図４】本発明の第１の実施の形態による遠方監視制御装置（テレコン）盤への添着手段の貼付のしかたの説明図である。
【図５】本発明の第２の実施の形態によるインターロック装置のブロック図である。
【図６】従来技術による制御盤のブロック図である。
【符号の説明】
【００４４】
１  インターロック装置
３  遠方監視制御装置（テレコン）
５  外部機器
１０  制御盤
１１  制御手段
１２  遠直切替手段
１３  選択手段
１４、１６  ＡＮＤ回路
１５  ＮＯＴ回路
１７  警報手段
１８  フリップフロップ回路
１９  タイマ
２０  監視手段
３１  テレコン側制御出力手段
３２  作業状態出力手段
３３  Ｕリンクソケット
３４  Ｕリンクプラグ
３５  プルアップ抵抗
３６、３７  Ｕリンクソケットの足部（ピン）
３８  蓄光剤
３９  添着手段
４１  伝送手段
４２  モデム
【図１】
2007082326.tif 000003
【図２】
2007082326.tif 000004
【図３】
2007082326.tif 000005
【図４】
2007082326.tif 000006
【図５】
2007082326.tif 000007
【図６】
2007082326.tif 000008